(57)【特許請求の範囲】
【請求項１】
給気管を流れる空気中に、燃料流量制御バルブを介して導入される燃料ガスを混合し、この混合気をスロットルバルブにより流量調整して燃焼室に供給するようにしたガスエンジンの統合制御方法において、
前記ガスエンジンから検出されたエンジン回転速度信号と、その目標値となる速度指令値信号との偏差に基づいて燃料ガス流量指令値を演算し、該燃料ガス流量指令値に応じて前記燃料流量制御バルブの燃料ガス流量を設定することによりエンジン回転速度を制御する速度制御工程と、
前記速度制御工程で演算された前記燃料ガス流量指令値に対して適正空燃比となる混合気流量指令値を算出し、該混合気流量指令値と、前記ガスエンジンからの入力信号より算出された実混合気流量との偏差に基づき前記スロットルバルブの目標開度を設定するフィードバック制御を行うことにより混合気の空燃比制御を行う空燃比制御工程と、を備え、
前記速度制御工程では、前記混合気の適正空燃比若しくは前記ガスエンジンの許容耐久性に基づいて少なくとも燃料ガス流量の上限値からなる制限範囲が予め設定され、前記燃料ガス流量指令値が前記制限範囲内となるようにリミット処理し、さらに前記リミット処理して得られた燃料流量指令値に対して、エンジンの出力変化に関連した信号の時系列変化量が基準範囲を超えた場合に、燃料ガス流量を増減させるガス流量制御係数を求めて、該ガス流量制御係数を前記燃料流量指令値に乗算して燃料流量補正処理を行うことを特徴とするガスエンジンの統合制御方法。
【請求項２】
前記空燃比制御工程では、前記エンジン回転速度、エンジン負荷率、エンジン出力の少なくとも何れかをパラメータとした適性空燃比マップが予め設定されており、該適正空燃比マップを用いて前記燃料ガス流量指令値に対応した適性空燃比を求めるようにしたことを特徴とする請求項１記載のガスエンジンの統合制御方法。
【請求項３】
前記混合気が過給機のコンプレッサを介して前記燃焼室に供給され、前記燃焼室からの排ガスが前記過給機のタービンを介して排出されるガスエンジンの制御方法であって、前記コンプレッサの下流側に設置された前記スロットルバルブにより混合気流量を調整するようにしたことを特徴とする請求項１記載のガスエンジンの統合制御方法。
【請求項４】
給気管を流れる空気中に、燃料流量制御バルブを介して導入される燃料ガスを混合し、この混合気をスロットルバルブにより流量調整して燃焼室に供給するようにしたガスエンジンであって、前記ガスエンジンの回転速度信号を検出する回転速度センサと、吸気圧力信号を検出する吸気圧力センサと、吸気温度信号を検出する吸気温度センサと、これらのセンサからの入力信号に基づいて制御を行う制御装置とを備えたガスエンジンの統合制御装置において、
前記制御装置は、前記エンジン回転速度信号と、その目標値となる速度指令値信号との偏差に基づいて燃料ガス流量指令値を演算し、該燃料ガス流量指令値に応じて前記燃料流量制御バルブの燃料ガス流量を設定する速度制御部と、
前記速度制御部にて演算された前記燃料ガス流量指令値に対して適正空燃比となる混合気流量指令値を算出し、該混合気流量指令値と、前記エンジン回転速度信号と前記吸気圧力信号と前記吸気温度信号より算出された実混合気流量との偏差に基づき前記スロットルバルブの目標開度を設定するフィードバック制御を行う空燃比制御部と、を備え、
前記速度制御部では、前記混合気の適正空燃比若しくは前記ガスエンジンの許容耐久性に基づいて少なくとも燃料ガス流量の上限値からなる制限範囲が予め設定され、前記燃料ガス流量指令値が前記制限範囲内となるようにリミット処理し、さらに前記リミット処理して得られた燃料流量指令値に対して、エンジンの出力変化に関連した信号の時系列変化量が基準範囲を超えた場合に、燃料ガス流量を増減させるガス流量制御係数を求めて、該ガス流量制御係数を前記燃料流量指令値に乗算して燃料流量補正処理を行うことを特徴とするガスエンジンの統合制御装置。
【請求項５】
前記空燃比制御部には、前記エンジン回転速度、エンジン負荷率、エンジン出力の少なくとも何れかをパラメータとした適性空燃比マップが予め設定されており、該適正空燃比マップを用いて前記燃料ガス流量指令値に対応した適性空燃比を求めるようにしたことを特徴とする請求項４記載のガスエンジンの統合制御装置。
【請求項６】
前記混合気が過給機のコンプレッサを介して前記燃焼室に供給され、前記燃焼室からの排ガスが前記過給機のタービンを介して排出されるガスエンジンの制御装置であって、前記コンプレッサの下流側に前記スロットルバルブが設置されていることを特徴とする請求項４記載のガスエンジンの統合制御装置。
【請求項７】
前記燃焼室の上部に点火用副室を備えるとともに、前記吸気圧力センサと、副室ガス圧信号を検出する副室ガス圧センサと、副室差圧信号を検出する副室差圧センサとを備え、
前記制御装置は、前記吸気圧力信号と前記副室ガス圧信号と前記副室差圧信号の相関関係に基づいて、何れか２の圧力信号から他の１の圧力信号を求める演算手段を備えたことを特徴とする請求項４記載のガスエンジンの統合制御装置。
【請求項８】
給気管を流れる空気中に、燃料流量制御バルブを介して導入される燃料ガスを混合し、この混合気をスロットルバルブにより流量調整して燃焼室に供給するようにしたガスエンジンであって、前記ガスエンジンの回転速度信号を検出する回転速度センサと、吸気圧力信号を検出する吸気圧力センサと、吸気温度信号を検出する吸気温度センサと、これらのセンサからの入力信号に基づいて制御を行う制御装置とを備えたガスエンジンの統合制御装置において、
前記制御装置は、前記エンジン回転速度信号と、その目標値となる速度指令値信号との偏差に基づいて燃料ガス流量指令値を演算し、該燃料ガス流量指令値に応じて前記燃料流量制御バルブの燃料ガス流量を設定する速度制御部と、
前記速度制御部にて演算された前記燃料ガス流量指令値に対して適正空燃比となる混合気流量指令値を算出し、該混合気流量指令値と、前記エンジン回転速度信号と前記吸気圧力信号と前記吸気温度信号より算出された実混合気流量との偏差に基づき前記スロットルバルブの目標開度を設定するフィードバック制御を行う空燃比制御部と、を備え、
さらに、前記燃焼室の上部に点火用副室を備えるとともに、前記吸気圧力センサと、副室ガス圧信号を検出する副室ガス圧センサと、副室差圧信号を検出する副室差圧センサとを備え、前記制御装置は、前記吸気圧力信号と前記副室ガス圧信号と前記副室差圧信号の相関関係に基づいて、何れか２の圧力信号から他の１の圧力信号を求める演算手段を備えたことを特徴とするガスエンジンの統合制御装置。
【発明の詳細な説明】
【技術分野】
【０００１】
本発明は、給気管から導入された空気中に燃料供給管から導入された燃料ガスを混合し、この混合気を混合気供給管より燃焼室に供給して燃焼せしめるガスエンジンに適用され、前記燃料供給管上に燃料ガス流量を調整する燃料流量制御バルブを備えるとともに前記混合気供給管上に混合気流量を調整するスロットルバルブを備えたガスエンジンの制御方法及び装置に関し、特に、これらの流量バルブによりエンジン回転速度と空燃比とを統合的に制御する電子制御ユニットを備えたガスエンジンの統合制御方法及び装置に関する。
【背景技術】
【０００２】
ガスエンジンは、天然ガス、都市ガス等の気体燃料（燃料ガス）を用いて燃焼運転する内燃機関であり、高効率且つ高出力を得られることから主に常用・非常用発電用エンジンや建設機械用エンジン、船舶、鉄道等に搭載されるエンジン等に幅広く利用されている。また、ガスエンジンでは発電機による電力供給のみならず廃熱を温水の加熱源などに利用できるため、エネルギの利用効率に優れている。
ガスエンジンにおいては、給気管から導入された空気中にガスミキサを介して燃料ガスを供給し、空気と燃料ガスからなる混合気を混合気供給管を介してエンジンの燃焼室に供給して燃焼運転を行い、駆動力を得る構成となっている。
【０００３】
図７に、従来の一般的なガスエンジンを示す。尚、ここでは一例として、過給機付き希薄燃焼ガスエンジンで、且つ点火用副室を有する構成につき示している。
同図に示されるように、該ガスエンジン１においては、エンジン燃焼用の空気は給気管１０よりガスミキサ１２に導入され、燃料ガスは燃料供給管１３より分岐された主室燃料供給管１４を通り、主室レギュレータ１５で調圧され、主室燃料流量制御バルブ１６にて流量調整された後ガスミキサ１２に導入され、前記空気と混合され希薄混合気となる。該混合気は過給機２５のコンプレッサ２６で圧縮され、混合気供給管２０から吸気弁が開く吸気行程中にシリンダ２内に導入され、燃焼に供される。燃焼後の排気ガスは、排気管２８を経て過給機２５のタービン２７を駆動し、外部に排出される。
一方、副室ガスは、燃料供給管１３から分岐した副室燃料供給管２１を介して副室レギュレータ２３で調圧された後、シリンダヘッド３に設けられた副室８内に導入され、圧縮上死点近くになると副室８の上部に付設された点火プラグのスパークにより副室内のガスが点火される。点火した火炎は主燃焼室（主室）７内へ噴出し、該主燃焼室内の混合気が点火されるようになっている。
【０００４】
このようなガスエンジンにおいては、ノッキングや失火を回避した最適な燃焼状態を維持し、また排気ガス中の有害物質の排出を抑制するために、燃料ガスの発熱量等の燃料ガス特性に応じた空燃比制御を行うことが必要である。
そこで従来は、適正な燃焼状態で且つ適正な排ガス性状が維持される所定の空燃比となるように、燃料流量制御バルブ１６により空燃比制御された混合気が形成され、この所定空燃比の混合気が混合気供給管２０を介してガスエンジン１の主燃焼室７に供給されるようにしていた。
一方、空燃比制御とともに、負荷の増減に対して一定の回転・出力を得るためにエンジン回転速度制御も必要とされるが、これは上記所定空燃比に設定された混合気の流量をスロットルバルブ１８にて開度制御することにより主燃焼室７に供給されるガス流量を調整し、速度制御を行っていた。
このように、従来のガスエンジンの制御では、上記した空燃比制御と速度制御からなる混合気制御方式が多く採用されていた。
【０００５】
また、ガスエンジンの空燃比制御の別の方法として、特許文献１（特開平５−１４１２９８号公報）に開示されるように、ガスエンジンの排気管に酸素センサを配設し、該酸素センサで検出された排気ガス中の酸素濃度に基づいてガスエンジンの空燃比が理論空燃比に対してリッチ状態にあるかリーン状態にあるかを検出し、その結果に基づいて空燃比を制御する制御方法がある。
【０００６】
さらにまた、特許文献２（特開２００３−２６２１３９号公報）には、過給機のコンプレッサにより加圧された空気が、給気通路を介して複数存在するシリンダの夫々に設けられた燃料噴射装置に供給され、一方燃料供給管からの燃料ガスは各燃料噴射装置に導入され、該燃料噴射装置にて混合された混合気が各シリンダに供給される構成を備えたガスエンジンの制御方法につき開示されている。
この制御方法は、ガスエンジンの運転時において、燃料供給通路中の燃料流量の検出値に基づいて必要空気量を算出するとともに、給気通路における給気圧力及び給気温度の検出値に基づき実空気量を算出し、実空気量が必要空気量に一致するように、給気通路における給気量を制御するようになっている。
【０００７】
【特許文献１】特開平５−１４１２９８号公報
【特許文献２】特開２００３−２６２１３９号公報
【発明の開示】
【発明が解決しようとする課題】
【０００８】
しかしながら、上記したような従来の混合気制御方式では、空燃比制御が容易であるという利点を有するものの、出力変化に対する応答が遅いという問題があった。特に、負荷投入時や負荷遮断時における応答が遅く、高性能化を達成するためにより良好な負荷応答性が求められていた。また、応答性の問題の一つとして、出力を安定させるために微調整しても応答が遅いため回転・出力が不安定化するという問題もある。さらに、過給機（ターボチャージャ）を備えたガスエンジンの場合、過給機の作動の遅れによるターボラグがあるため、より一層応答性が悪くなってしまうという問題があった。
【０００９】
エンジン回転速度制御を迅速に行う方法として、出力変化に対応して燃料ガス流量を制御するガス制御方式もあるが、従来のガス制御方式では空燃比制御が困難であるため安定した燃焼制御が図れなかった。また空燃比を適正に保つことが難しいため排気ガス規制遵守などの障害になりやすいという問題があった。さらに、従来の一般的なガス制御方式では、燃料流量制御バルブの開度などの供給燃料量を定量的に把握できない制御となるため、過度な燃料供給によるエンジンのオーバーランや過負荷が発生しやすかった。特に、負荷投入時や負荷遮断時などの過渡運転時において、空燃比の精密な制御が困難であることにより負荷投入時のストールや異常燃焼などが発生しやすかった。
また、従来の混合気制御方式では、出力を確保するために過給圧力に余裕を持つ必要があり、スロットルバルブで発生するポンピングロスによる熱効率の低下が避けられなかった。一方、ガス制御方式では出力不足やポンピングロスの問題はないが、空燃比を適正に保つことが困難で、排気ガス規制に対応することが難しかった。
【００１０】
さらに、特許文献１に記載されるように、酸素センサからの検出信号をフィードバック信号として用いた空燃比制御では、酸素センサが高価であるためコストが高くなってしまう。
一方、特許文献２に記載されるガスエンジンは、複数のシリンダの夫々に燃料噴射装置、燃料供給量調整弁を備えた構成であり、本願とは基本構成が異なるものであるが、個々にこれらの装置を備えているため大型のエンジンに適用される場合はよいが、小型化は困難である。さらに、コンプレッサから送られた空気を給気放出弁にて排出することにより空気量を調整しているため効率が悪く、コンプレッサも大型化することとなる。
【００１１】
さらにまた、従来の制御装置では、空燃比制御と速度制御を夫々別個の制御装置にて行っていたが、制御装置は高価であるためコストが嵩むという問題があり、また夫々の制御の連携が困難であり一連の円滑な制御が難しいという問題もあった。
従って、本発明は上記従来技術の問題点に鑑み、高精度の空燃比制御を維持しながら負荷応答性を向上させ、さらに空燃比制御と速度制御を一元化して連携制御することにより円滑で高性能な運転制御を可能としたガスエンジンの統合制御方法及び装置を提供することを目的とする。
【課題を解決するための手段】
【００１２】
そこで、本発明はかかる課題を解決するために、給気管を流れる空気中に、燃料流量制御バルブを介して導入される燃料ガスを混合し、この混合気をスロットルバルブにより流量調整して燃焼室に供給するようにしたガスエンジンの統合制御方法において、
前記ガスエンジンから検出されたエンジン回転速度信号と、その目標値となる速度指令値信号との偏差に基づいて燃料ガス流量指令値を演算し、該燃料ガス流量指令値に応じて前記燃料流量制御バルブの燃料ガス流量を設定することによりエンジン回転速度を制御する速度制御工程と、
前記速度制御工程で演算された前記燃料ガス流量指令値に対して適正空燃比となる混合気流量指令値を算出し、該混合気流量指令値と、前記ガスエンジンからの入力信号より算出された実混合気流量との偏差に基づき前記スロットルバルブの目標開度を設定するフィードバック制御を行うことにより混合気の空燃比制御を行う空燃比制御工程と、を備え、
前記速度制御工程では、前記混合気の適正空燃比若しくは前記ガスエンジンの許容耐久性に基づいて少なくとも燃料ガス流量の上限値からなる制限範囲が予め設定され、前記燃料ガス流量指令値が前記制限範囲内となるようにリミット処理し、さらに前記リミット処理して得られた燃料流量指令値に対して、エンジンの出力変化に関連した信号の時系列変化量が基準範囲を超えた場合に、燃料ガス流量を増減させるガス流量制御係数を求めて、該ガス流量制御係数を前記燃料流量指令値に乗算して燃料流量補正処理を行うことを特徴とする。
【００１３】
本発明によれば、エンジン回転速度の変化に応じて燃料流量制御バルブを直接制御することにより燃焼室へ供給される燃料ガス流量を迅速に増減することができるため、出力応答が速くなり、安定した速度制御が可能となる。さらに、燃料ガス流量に追従する形で、適正空燃比となるようにスロットルバルブを開閉制御して混合気流量を調整し空燃比制御を行う構成としている。これにより、出力変化に対する応答性の向上及び出力制御の安定化が図れるとともに、精度良く空燃比制御を行うことが可能となる。特に、負荷投入時や負荷遮断時等の過渡運転時において負荷応答性を格段に向上させることが可能である。  
【００１４】
また、本発明では混合気流量制御にスロットルバルブを用いているが、各種温度圧力の計測値から燃料流量制御バルブを用いて精度良く空燃比制御を行うことが可能で、混合気制御とガス制御方式の両利点をバランスさせることにより、適切な空燃比を保ちながらポンピングロス、即ちスロットル損失を最小限に抑えることが可能となる。さらに、各種温度圧力の計測値から燃料流量制御バルブとスロットルバルブを用いて精度良く空燃比制御を実現することが可能であるため、高価な排気ガスセンサ（酸素センサ）が不要となり、装置を安価にすることができる。尚、本発明においては、前記エンジン回転速度の代わりに、エンジン回転数、エンジン負荷、エンジン出力を用いるようにしてもよい。
【００１５】
また、前記空燃比制御工程では、前記エンジン回転速度、エンジン負荷率、エンジン出力の少なくとも何れかをパラメータとした適性空燃比マップが予め設定されており、該適正空燃比マップを用いて前記燃料ガス流量指令値に対応した適性空燃比を求めるようにしたことを特徴とする。
これにより、ガスエンジンの運転状態及び燃料ガス流量に応じた適正な空燃比を容易に求めることができ、高精度で簡単化した制御が可能となる。
【００１６】
さらに、前記混合気が過給機のコンプレッサを介して前記燃焼室に供給され、前記燃焼室からの排ガスが前記過給機のタービンを介して排出されるガスエンジンの制御方法であって、前記コンプレッサの下流側に設置された前記スロットルバルブにより混合気流量を調整するようにしたことを特徴とする。
このように、過給機を具備したガスエンジンに本発明を適用すると、過給機によるターボラグを最小限に抑えることができ、応答性の向上に寄与する。また負荷投入時において、速度制御工程にて先に燃料ガスを増加することにより排気エネルギも増加するため、過給機が迅速に作動して空気量を短時間で増大し、さらに燃料ガス流量の増加制御を行うことができるため、応答性をより一層向上させることができる。
【００１７】
さらにまた、前記速度制御工程では、前記混合気の適正空燃比若しくは前記ガスエンジンの許容耐久性に基づいて少なくとも燃料ガス流量の上限値からなる制限範囲が予め設定され、前記燃料ガス流量指令値が前記制限範囲内となるようにリミット処理し、さらに前記リミット処理して得られた燃料流量指令値に対して、エンジンの出力変化に関連した信号の時系列変化量が基準範囲を超えた場合に、燃料ガス流量を増減させるガス流量制御係数を求めて、該ガス流量制御係数を前記燃料流量指令値に乗算して燃料流量補正処理を行うことを特徴とする。
本発明によれば、各種運転条件における燃料供給量の定量的制限ができ、適用対象エンジンに対して物理的に意味のある制限値を設けることが可能となる。即ち、混合気の適正空燃比に基づいて制限範囲を設定することにより、燃焼制御に際して適性な空燃比内で燃料供給することができるため、失火や異常燃焼を防止することが可能である。一方、ガスエンジンの許容耐久性に基づいて制限範囲を設定することにより、その耐久性の範囲内で運転制御できるため、ガスエンジンの不具合や故障、異常な劣化を防止することが可能である。
また、過渡応答に追従し難いＰＩＤ演算に加えて、上記した燃料流量補正処理を行うことにより、過渡運転時においても出力変動に対して応答性を良好に保つことが可能となる。
【００１８】
また、給気管を流れる空気中に、燃料流量制御バルブを介して導入される燃料ガスを混合し、この混合気をスロットルバルブにより流量調整して燃焼室に供給するようにしたガスエンジンであって、前記ガスエンジンの回転速度信号を検出する回転速度センサと、吸気圧力信号を検出する吸気圧力センサと、吸気温度信号を検出する吸気温度センサと、これらのセンサからの入力信号に基づいて制御を行う制御装置とを備えたガスエンジンの統合制御装置において、
前記制御装置は、前記エンジン回転速度信号と、その目標値となる速度指令値信号との偏差に基づいて燃料ガス流量指令値を演算し、該燃料ガス流量指令値に応じて前記燃料流量制御バルブの燃料ガス流量を設定する速度制御部と、
前記速度制御部にて演算された前記燃料ガス流量指令値に対して適正空燃比となる混合気流量指令値を算出し、該混合気流量指令値と、前記エンジン回転速度信号と前記吸気圧力信号と前記吸気温度信号より算出された実混合気流量との偏差に基づき前記スロットルバルブの目標開度を設定するフィードバック制御を行う空燃比制御部と、を備え、
前記速度制御部では、前記混合気の適正空燃比若しくは前記ガスエンジンの許容耐久性に基づいて少なくとも燃料ガス流量の上限値からなる制限範囲が予め設定され、前記燃料ガス流量指令値が前記制限範囲内となるようにリミット処理し、さらに前記リミット処理して得られた燃料流量指令値に対して、エンジンの出力変化に関連した信号の時系列変化量が基準範囲を超えた場合に、燃料ガス流量を増減させるガス流量制御係数を求めて、該ガス流量制御係数を前記燃料流量指令値に乗算して燃料流量補正処理を行うことを特徴とする。
【００１９】
また、前記空燃比制御部には、前記エンジン回転速度、エンジン負荷率、エンジン出力の少なくとも何れかをパラメータとした適性空燃比マップが予め設定されており、該適正空燃比マップを用いて前記燃料ガス流量指令値に対応した適性空燃比を求めるようにしたことを特徴とする。
さらに、前記混合気が過給機のコンプレッサを介して前記燃焼室に供給され、前記燃焼室からの排ガスが前記過給機のタービンを介して排出されるガスエンジンの制御装置であって、前記コンプレッサの下流側に前記スロットルバルブが設置されていることを特徴とする。  
【００２０】
さらにまた、前記燃焼室の上部に点火用副室を備えるとともに、前記吸気圧力センサと、前記副室ガス圧信号を検出する副室ガス圧センサと、前記副室差圧信号を検出する副室差圧センサとを備え、
前記制御装置は、前記吸気圧力信号と前記副室ガス圧信号と前記副室差圧信号の相関関係に基づいて、何れか２の圧力信号から他の１の圧力信号を求める演算手段を備えたことを特徴とする。
一般にガスエンジンでは、吸気圧力、副室ガス圧、副室差圧の３種の圧力センサの異常時対策として複数個設置が必要である。しかし、（副室ガス圧）＝（副室差圧）−（吸気圧力）の関係を利用して、何れかのセンサ異常があった場合に正常な２つの圧力から他の圧力を算出することにより、同種のセンサを複数個設置することを廃止できる。
【発明の効果】
【００２１】
以上記載のごとく本発明によれば、エンジン回転速度の変化に応じて燃料流量制御バルブを直接制御することにより燃焼室へ供給される燃料ガス流量を迅速に増減することができるため、出力応答が速くなり、安定した速度制御が可能となる。さらに、燃料ガス流量に追従する形で、適正空燃比となるようにスロットルバルブを開閉制御して混合気流量を調整し空燃比制御を行う構成としている。これにより、出力変化に対する応答性の向上及び出力制御の安定化が図れるとともに、精度良く空燃比制御を行うことが可能となる。特に、負荷投入時や負荷遮断時等の過渡運転時において負荷応答性を格段に向上させることが可能である。また、速度制御と空燃比制御を一元化して連携制御する構成としたため、円滑で高性能な運転制御が可能となるとともに、高価な制御装置を複数設置する必要がなくなり、さらに高価な排ガスセンサを設置しなくてもよいことから大幅なコストダウンが可能となる。
また、過給機を具備したガスエンジンに本発明を適用することにより、ターボラグを最小限に抑えることができ応答性がより一層改善される。
【００２２】
さらに、速度制御においてリミット処理を行うことにより、各種運転条件における燃料供給量の定量的制限ができ、適用対象エンジンに対して物理的に意味のある制限値を設けることが可能となる。即ち、混合気の適正空燃比に基づいて制限範囲を設定することにより、燃焼制御に際して適性な空燃比内で燃料供給することができるため、失火や異常燃焼を防止することが可能である。一方、ガスエンジンの許容耐久性に基づいて制限範囲を設定することにより、その耐久性の範囲内で運転制御できるため、ガスエンジンの不具合や故障、異常な劣化を防止することが可能である。また、過渡応答に追従し難いＰＩＤ演算に加えて、上記した燃料流量補正処理を行うことにより、過渡運転時においても出力変動に対して応答性を良好に保つことが可能となる。
【発明を実施するための最良の形態】
【００２３】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の一実施例に係るガスエンジンとその制御装置を示す全体構成図、図２は本発明の実施例に係るガスエンジンの制御を示すブロック線図、図３はガス流量リミットマップの一例を示す図、図４は空気過剰率リミットマップの一例を示す図、図５は負荷応答性を比較するグラフで、（ａ）は補正処理無しの場合、（ｂ）は補正処理有りの場合を示す図、図６は空気過剰率マップの一例を示す図である。
【実施例】
【００２４】
図１を参照して、本実施例に係るガスエンジンの全体構成につき説明する。本実施例では、一例として発電機を駆動するための過給機付き希薄燃焼ガスエンジンで、且つ点火用副室を有する構成につき示しているが、本実施例の構成はこの形式のガスエンジンに限定されるものではなく、過給機を備えないガスエンジン、或いは希薄燃焼（リーンバーン）以外の燃焼方式によるガスエンジンにも適用可能である。また、駆動対象は図示されるように発電機が好ましいが、発電機以外の場合にも適用可能である。
【００２５】
同図に示すように、発電機４０を駆動するガスエンジン１は、空気と燃料ガスからなる混合気を主燃焼室（主室）７に供給するための混合気供給管２０と、燃焼後の排気ガスを主室７から外部に排出するための排気管２８とを備えている。前記混合気供給管２０と前記排気管２８は、夫々過給機２５のコンプレッサ２６とタービン２５に接続されている。
また、前記ガスエンジン１はシリンダ２とその上部にシリンダヘッド３を有し、クランクシャフト５にはコンロッド６を介してピストン４が連結され、シリンダ２内を上下移動自在に支持している。そして、ピストン４の上部には主燃焼室７が形成され、シリンダヘッド３には該主燃焼室７と副室噴孔を介して連通される副室８が形成されている。
【００２６】
空気を給気する給気管１０には、給気中のごみや異物を除去するエアクリーナ１１と、空気と燃料ガスを混合するガスミキサ１２とが接続されている。該ガスエンジン１に燃料ガスを供給する燃料供給管１３は、主室燃料供給管１４と副室燃料供給管２１とに分岐され、主室燃料供給管１４は、前記給気管１０にガスミキサ１２を介して接続されている。前記主室燃料供給管１４には、主室７へ供給される燃料ガスを所定の圧力に調圧する主室レギュレータ１５と、主室７へ供給する燃料ガスの流量を調整する主室燃料流量制御バルブ（燃料流量メータリングバルブ）１６とが設けられている。該主室燃料流量制御バルブ１６は、電子制御により流体の流量を調節することができる可変のバルブであり、その構成は公知である。前記副室燃料供給管２１には、副室８へ供給される燃料ガスを圧縮するコンプレッサ２２と、該燃料ガスを所定の圧力に調圧する副室レギュレータ２３と、副室差圧を制御する差圧制御バルブ２４とが設けられている。
【００２７】
前記過給機２５は、前記シリンダ２の排気ポートから排気管２８を通って導入される排気ガスによって駆動されるタービン２７と、該タービン２７と同軸に配設された空気圧縮用のコンプレッサ２６よりなる周知の装置構成を有する。
前記ガスミキサ１２の後流側には前記コンプレッサ２６が接続されており、その下流には該コンプレッサ２６で圧縮された混合気をシリンダ４の吸気ポートへ供給する混合気供給管２０が接続されている。
前記混合気供給管２０上には、前記シリンダ２の吸気ポートへ供給する混合気流量を調整するスロットルバルブ１８が設けられている。該スロットルバルブ１８は、ガバナ（調速装置）１９に接続されており、バルブの開度により混合気流量が調整されるようになっている。尚、該混合気供給管２０の下流側及び排気管２８は、複数の燃焼室７に接続された多数の分岐管に別れているが、図１では簡略化して１本の分岐管のみが描かれている。
【００２８】
上記した構成のガスエンジン１においては、給気管１０より吸入された燃焼用の空気はガスミキサ１２に導入され、燃料ガスは燃料供給管１３から主室燃料供給管１４を通って主室レギュレータ１５に導入されて調圧された後、燃料流量制御バルブ１６にて流量調整されてガスミキサ１２へ導入される。空気と燃料ガスはガスミキサ１２で混合され、希薄混合気となり過給機２５のコンプレッサ２６で圧縮され、混合気供給管２０を通ってスロットルバルブ１８にて混合気流量を調整された後、シリンダヘッド３に設けられた吸気ポートに供給され、該吸気ポートの吸気弁が開く吸気行程にシリンダ２内に吸入される。一方、燃料ガスの一部は燃料供給管１３から副室燃料供給管２１を通って副室レギュレータ２３で調圧された後、副室８に導入される。このとき、副室レギュレータ２３の出口側の副室ガス圧の設定は、混合気供給管２０の内圧と副室燃料供給圧の差圧に基づき負荷に応じた適正な圧力に設定される。該副室８内の副室ガスは、圧縮行程にて圧縮上死点になると点火プラグのスパークにより点火され、点火した火炎はシリンダ２内へ噴出し主室７内の混合気が点火され、膨張行程にて全体に火炎伝播し、やがて燃焼は終了する。燃焼後の排ガスは、排気行程にて排気ポートより排気管２８を介して排出される。
【００２９】
また、本実施例に係るガスエンジン１は、エンジンの動作状態を検出するセンサが複数設置されている。本実施例では、混合気供給管２０上に、吸気圧力（マニホールド圧力：ＭＡＰ）を検出するＭＡＰセンサ３０が設けられるとともに、吸気温度（マニホールド温度：ＭＡＴ）を検出するＭＡＴセンサ３１とが設けられている。ガスエンジン１には、エンジン回転速度を検出する回転速度センサ３２が設けられている。その他、副室ガス圧を検出する副室ガス圧センサ３３、副室差圧を検出する副室差圧センサ３４、トルクを検出するトルク検出センサ（図示略）等が設けられている。
前記ガスエンジン１により駆動される発電機４０は発電機制御盤４１に接続され、該発電機制御盤４１により、該発電機４０が具備する遮断器の制御等の発電機全般の制御を行うようになっている。
【００３０】
ガスエンジン１の運転は、エンジン電子制御ユニット（ＥＣＵ）５０によって制御される。該エンジン電子制御ユニット５０は、内部にＣＰＵ、ＲＡＭ、ＲＯＭ等を備えるコンピュータとして構成されており、これらの機器により、エンジン回転速度を制御する機能を有する速度制御部５１と、空燃比制御を行う機能を有する空燃比制御部５２とが構成される。前記速度制御部５１と前記空燃比制御部５２は互いに連携制御されるようになっている。
前記エンジン電子制御ユニット５０には、上記したＭＡＰセンサ３０、ＭＡＴセンサ３１、回転速度センサ３２等の種々のセンサからの検出信号、或いは発電機制御盤４１からの遮断信号等が入力されるとともに、これらの入力信号に基づいて各種演算処理を行い、演算結果を出力信号として各種バルブに送信し、制御を行うようになっている。出力信号としては、燃料ガス流量指令信号、スロットル開度制御信号、副室差圧制御バルブ開度信号等が挙げられる。
【００３１】
また、副室８を備えたガスエンジン１の場合、前記エンジン電子ユニット５０にて、ＭＡＰセンサ３０からの吸気圧力信号、副室ガス圧センサ３３からの副室ガス圧信号、副室差圧センサ３４からの副室差圧信号を夫々入力信号として副室差圧制御を行う副室差圧制御部（図示略）を備えている。この副室差圧制御部は、吸気圧力と副室ガス圧と副室差圧の相関関係、即ち、（副室ガス圧）＝（副室差圧）−（吸気圧力）の関係を利用して、前記吸気圧力、前記副室ガス圧、前記副室差圧の何れか２の圧力から他の圧力を求める演算手段を備えている。これにより、何れかの圧力センサに異常が発生した場合であっても、正常な他の２つの圧力センサからの検出信号に基づいて圧力を算出することが可能となり、同種の圧力センサを複数設置することを廃止できる。
【００３２】
図２に、前記エンジン電子制御ユニット５０における制御フローを示す。該エンジン電子制御ユニット５０における主要な制御は、速度制御部５１にて、エンジン回転速度センサ３２にて検出されたエンジン回転速度信号と、その目標値となる速度指令値信号との偏差に基づいて燃料ガス流量指令値を演算し、該燃料ガス流量指令値に応じて前記燃料流量制御バルブ１６の燃料ガス流量を設定することによりエンジン回転速度を制御する速度制御工程と、空燃比制御部５２にて、前記燃料ガス流量指令値に対して適正空燃比となる混合気流量指令値を算出し、該混合気流量指令値と、前記ガスエンジンからの入力信号より算出された実混合気流量との偏差に基づき前記スロットルバルブ１８の目標開度を設定するフィードバック制御を行う空燃比制御工程とからなる。
【００３３】
図２を参照して、速度制御部５１における具体的な制御フローにつき説明する。まず、定格運転時の目標値となるエンジン回転速度指令値信号と、エンジン回転速度センサ３２にて検出された実際のエンジン回転速度信号との偏差に基づいてＰＩＤ演算により燃料流量指令値を算出する。尚、前記エンジン回転速度指令値は、定格運転時、増速運転時、減速運転時の夫々にて設定速度は変更される。また、アイドル運転、定格運転、増速リミット、減速リミットの設定速度は変更可能とする。また、本実施例において、前記エンジン回転速度の代わりに、エンジン回転数、エンジン負荷、エンジン出力を用いるようにしてもよい。
【００３４】
次いで、算出された燃料流量指令値に対して、リミット処理を行う。リミット処理は、燃料ガス流量の少なくとも上限値からなる制限範囲が予め設定されており、前記ＰＩＤ演算により算出された燃料流量指令値がこの上限値を超える場合は、該制限範囲内となるように燃料流量指令値を修正する。尚、該制限範囲は、上限下限からなる範囲としてもよい。
この制限範囲は、物理的意味を有するある一定の条件に基づき設定され、例えば以下の条件が考えられる。尚、制限範囲を決定する条件については、以下に示す条件のみに限定されない。
【００３５】
具体例として、定常運転において、ガスエンジン自体の許容耐久性に基づいて制限範囲を設定する方法が挙げられる。これは、ガスエンジン１の許容回転速度、許容負荷率等の許容耐久性を条件としており、例えば図３に示されるガス流量リミットマップに基づいて制限範囲が設けられる。このガス流量リミットマップは、エンジン回転速度と、負荷の代替としてＭＡＰ（％）（全負荷運転に対するマニホールド圧の割合）とがパラメータとして用いられ、予めエンジン回転速度とＭＡＰ（％）に応じたガス流量の上限値が定められている。そして、エンジン回転速度とＭＡＰ（％）の入力信号からガス流量リミットマップに基づきその時点におけるガス流量上限値を求め、該ガス流量上限値を、前記ＰＩＤ演算により求めた燃料流量指令値の上限とする。
本方法によれば、ガスエンジン１の耐久性の範囲内で運転制御できるため、ガスエンジン１の不具合や故障、異常な劣化を防止することが可能である。
【００３６】
また、他の具体例として、過渡運転時において、ガスエンジン１の空燃比に基づいて制限範囲を設定する方法が挙げられる。好適には、空気過剰率λが０．５〜２．２の範囲内になるように制限範囲を設定する。これは、適正な燃焼状態が得られる空燃比から得られる範囲である。
この方法では、燃焼可能な混合気の空気過剰率を要件としており、例えば図４に示される空気過剰率リミットマップに基づいて制限範囲が設けられる。この空気過剰率リミットマップは、エンジン回転速度と、負荷の代替としてＭＡＰ（％）とが用いられ、予めエンジン回転数とＭＡＰ（％）に応じた空気過剰率の下限値が定められている。そして、エンジン回転速度とＭＡＰ（％）の入力信号から空気過剰率リミットマップに基づきその時点における空気過剰率下限値を求め、さらに該空気過剰率下限値からこれに対応するガス流量を計算し、これをガス流量上限値とする。そして上記と同様に、該ガス流量上限値を、前記ＰＩＤ演算により求めた燃料流量指令値の上限とする。
尚、空気過剰率下限値からのガス流量の計算は以下の式（１）により行う。
【００３７】
【数１】
0004476317.tif 000002
ここで、Qgas_limit ：空気過剰率下限値[l/sec]、Qmix_act：実混合気流量[l/sec]、λst：理論空燃比[l/sec]、λlim：空気過剰率（空気過剰率リミットマップから得られた値）である。
本方法によれば、燃焼制御に際して適性な空燃比内で燃料供給することができるため、かかるリミット処理を行うことにより失火や異常燃焼を防止することが可能である。
【００３８】
上記したように、ＰＩＤ演算により算出した燃料流量指令値に対してリミット処理を行うことにより、各種運転条件における燃料供給量の定量的制限が可能となり、制限設定実施者は適用対象エンジンに対して物理的に意味のある制限値を設けることができる。
このリミット処理は、複数段階設定するようにしてもよく、この場合最も制限範囲が小さいリミット値に合わせるものとする。或いは、リミット処理を複数段階設定し、運転条件に応じて使い分けるようにしてもよい。また、リミット処理の他の条件設定として、ガスエンジン１の性能に基づいて制限範囲を設定する方法、発電機４０の発電効率に基づいて制限範囲を設定する方法、排ガス性状に基づいて制限範囲を設定する方法など、種々の条件に基づき設定可能である。
【００３９】
ＰＩＤ演算後、リミット処理を経て得られた燃料流量指令値に対して、必要に応じて燃料流量補正処理を行うようにしてもよい。
この燃料流量補正処理は、ガスエンジン１の出力変化に関連した入力信号の時系列変化量が基準範囲を超えた場合に、前記速度制御部５１にて燃料流量制御バルブ１６の制御量を補正するものであり、主に負荷投入時や負荷遮断時等の過渡応答時に適用される。前記基準範囲は予め設定されているものである。
前記ガスエンジン１の出力変化に関連した入力信号は、該出力変化に連動して変化する信号のことであり、例えばエンジン回転速度信号、負荷信号、吸気圧力信号、発電機４０又はガスエンジン１の異常／停止信号等が挙げられる。
【００４０】
具体的な燃料流量補正処理につき以下に示す。
エンジン回転速度変化量に応じて補正処理を行う場合、エンジン回転速度の単位時間当たりの変化量が遮断判定用変化量以上、且つ定格運転時、且つ遮断判定用設定速度以上である場合、予め設定された遮断用補正係数を有効にする。また、エンジン回転速度の変化量が投入判定用変化量以下、且つ定格運転時、且つ投入判定用設定速度以下である場合、予め設定された投入用補正係数を有効にする。これらの係数が有効になったら、前記燃料流量制御バルブ１６の制御量に前記係数を乗じる演算処理を行う。即ち、燃料ガス流量制御出力に前記係数を乗じたものを制御信号の最終出力とする。
【００４１】
負荷変化量に応じて補正処理を行う場合、負荷（ｋＷ信号）の単位時間当たりの変化量に対する係数マップから、負荷変化時のガス流量制御係数を求める。そして、求めた係数を前記燃料流量制御バルブ１６の制御量に乗じる演算処理を行う。即ち、燃料ガス流量制御出力に前記係数を乗じたものを制御信号の最終出力とする。
吸気圧力変化量に応じて補正処理を行う場合、吸気圧力（ＭＡＰ）の単位時間当たりの変化量に対する係数マップから、吸気圧力変化時のガス流量制御係数を求める。そして、求めた係数を前記燃料流量制御バルブ１６の制御量に乗じる演算処理を行う。即ち、燃料ガス流量制御出力に前記係数を乗じたものを制御信号の最終出力とする。
【００４２】
異常又は停止信号に応じて補正処理を行う場合、発電機４０に接続された発電制御盤４１からの異常／停止信号、或いはガスエンジン１からの異常／停止信号に基づき、該信号をトリガーにして供給燃料を停止する処理を行うものである。
発電機４０又はガスエンジン１の異常発生を示す入力信号を検知した時、或いは負荷遮断の入力信号を検知した時に、前記燃料流量制御バルブ１６の制御量に補正係数０を乗じる演算処理を行う。即ち、制御量を０％とする。
【００４３】
このように、過渡応答に追従し難いＰＩＤ演算に加えて、上記した燃料流量補正処理を行うことにより、過渡運転時においても出力変動に対して応答性を良好に保つことが可能となる。即ち、エンジン回転速度、吸気圧力、或いは負荷等の出力変化に関連した入力信号に応じて、燃料ガス流量を増減させる補正処理を行うことにより、過渡運転時における応答性を格段に向上させることが可能となる。また、発電機４０又はガスエンジン１の異常／停止信号に応じて補正係数０を乗じることにより、装置に不具合が発生したり、回転数が急上昇することを防止することができる。
尚、本実施例にて、燃料流量補正処理に上記したリミット処理を併用することにより、異常燃焼の発生やストールを防ぐことが可能である。
【００４４】
図５は、燃料流量補正処理による負荷改善を説明する図で、（ａ）は補正処理なし、（ｂ）は補正処理有りの場合を示す。（ａ）補正処理なしの場合、負荷遮断等により負荷が急激に低下するとエンジン回転数が急激に上昇する。この上昇に伴いＰＩＤ演算から燃料ガス流量を低下する制御指令が出されるが、この制御量は比較的小さいため回転数の大幅な上昇は避けられない。これに対して、（ｂ）の補正処理有りの場合は、負荷の急激な低下に基づいて補正処理が行われ、ガス流量を大幅に低下させる制御がなされる。これにより回転数の上昇は最小限に抑えられ、負荷変動に対して応答性が改善される。
【００４５】
尚、この燃料流量補正処理に応じた燃料ガス流量制御は、予め設定された時間だけ継続するか、或いは予め設定された測定値に達した場合など終点を決めておくことが好ましい。
このように、前記速度制御部５１では上記したＰＩＤ演算、リミット処理、燃料流量補正処理により得られた燃料ガス流量指令値を出力信号とし、前記主室燃料流量制御バルブ１６を制御して主室燃料ガス流量を調整し、速度制御を行うようになっている。
【００４６】
次いで、空燃比制御部５２にて空燃比を制御するフローにつき説明する。
まず、前記速度制御部５１で算出された燃料ガス流量指令値と、エンジン回転速度信号に基づいてエンジン負荷率（ＬＯＡＤ）を算出する。エンジン負荷率は、以下の式（２）により算出できる。
【数２】
0004476317.tif 000003
ここで、LOAD：エンジン負荷率[%]、Gas：燃料ガス流量指令値[l/sec]、Gas _MAX：エンジン出力最大時に使用するガス流量[l/sec]、MAX_Sp：最大エンジン回転速度[min-1]、Speed：エンジン回転速度[min-1]である。
【００４７】
そして、予め設定されたエンジン負荷率とエンジン回転速度に対応した空燃比マップに基づいて、前記エンジン回転速度と前記算出したエンジン負荷率から適正空燃比を求め、該適正空燃比に対応した混合気流量指令値を算出する。
前記混合気流量指令値は、以下の式（３）により算出できる。
【数３】
0004476317.tif 000004
ここで、Qmix_ref：混合気流量指令値[l/sec]、Qgas_ref：燃料ガス流量指令値[l/sec]、λ：空気過剰率（空気過剰率マップから得られた値）、λst：理論空燃比である。
【００４８】
前記空燃比マップとしては、図６に示すように、例えばエンジン回転速度信号とエンジン負荷率に応じて適正空気過剰率が予め設定された空気過剰率マップを用いることができる。尚、図６では空気過剰率から空燃比を求めるマップとなっているが、空気過剰率の項目を空燃比として直接空燃比が求められるマップとしてもよい。前記空燃比マップ、及び上記したガス流量リミットマップ、空気過剰率リミットマップにおいて、図示されるマップ形式を用いる場合には、各入力信号が項目の数値間に存在するときは補完処理により対応する。
【００４９】
一方、エンジン回転速度信号とＭＡＰ信号とＭＡＴ信号に基づき実際の混合気流量（実混合気流量）を算出する。該所要混合気流量は以下の式（４）により算出できる。
【数４】
0004476317.tif 000005
ここで、Qmix：実混合気流量[l/sec]、Speed：エンジン回転速度[min-1]、V：総排気量[l]、Ve：容積効率、MAP：マニホールド圧力[kPa]、MAT：マニホールド温度[K]、Tn：絶対温度273.2[K]、Pn：絶対圧力101.3[kPa]である。
そして、前記混合気流量指令値と前記実混合気流量の偏差からＰＩＤ演算によりスロットルバルブ１８の目標開度を設定するフィードバック制御を行う。
【００５０】
さらに、必要に応じて、ＰＩＤ演算の演算結果に対してスロットル開度補正処理を行うようにしてもよい。
このスロットル開度補正処理は、燃料ガス流量の変化量に応じてスロットルバルブの制御量の補正を行うものである。スロットル開度補正処理は、主に負荷投入や負荷遮断などの過渡運転時に適用され、予め設定された燃料ガス流量の単位時間当たりの変化量に対する補正値マップから燃料ガス流量変化時のスロットル開度補正量を求め、求めた補正量をスロットル制御出力に加算したものを最終出力とする。
このスロットル開度補正処理により、負荷投入や負荷遮断などの過渡運転時に供給燃料量に応じた適正な空燃比を保つことができ、負荷応答性の向上とともに制御性を改善することが可能となる。
【００５１】
さらにまたスロットル開度補正処理の別の方法として、発電機４０に接続された発電制御盤４１からの異常／停止信号、或いはガスエンジン１からの異常／停止信号に基づき、該信号をトリガーにして供給燃料を停止する処理を行うようにしてもよい。
これは、発電機４０又はガスエンジン１の異常発生を示す入力信号を検知した時、或いは負荷遮断の入力信号を検知した時に、前記スロットル開度の制御量に補正係数０を乗じる演算処理を行う。即ち、制御量を０％とする。
【００５２】
本実施例によれば、出力変化に対する応答性の向上及び出力制御の安定化が図れるとともに、精度良く空燃比制御を行うことが可能で、特に、負荷投入時や負荷遮断時等の過渡運転時における負荷応答性の向上が達成できる。また、速度制御部５１と空燃比制御部５２を一元化して連携制御するエンジン電子制御装置５０を備えた構成としたため、円滑で高性能な運転制御が可能となるとともに、高価な制御装置を複数設置する必要がなくなり、さらに高価な排ガスセンサを設置しなくてもよいことから大幅なコストダウンが可能となる。
また、過給機２５を具備したガスエンジン１に本発明を適用することにより、過給機２５によるターボラグが最小限に抑えられ、応答性の向上に寄与する。また負荷投入時において、速度制御部５１にて先に燃料ガスを増加することにより排気エネルギも増加するため、過給機２５が迅速に作動して空気量を短時間で増大し、さらに燃料ガス流量の増加制御を行うことができるため、応答性をより一層向上させることができる。
【００５３】
さらにまた、速度制御部５１においてリミット処理を行うことにより、各種運転条件における燃料供給量の定量的制限ができ、適用対象エンジンに対して物理的に意味のある制限値を設けることが可能となる。即ち、ガスエンジン１の許容耐久性に基づいて制限範囲を設定することにより、その耐久性の範囲内で運転制御できるため、ガスエンジン１の不具合や故障、異常な劣化を防止することが可能である。一方、混合気の空燃比に基づいて制限範囲を設定することにより、燃焼制御に際して適性な空燃比内で燃料供給することができるため失火や異常燃焼を防止することが可能である。
【産業上の利用可能性】
【００５４】
本実施例に係るガスエンジンの統合制御方法及び装置は、高精度の空燃比制御を維持しながら負荷応答性を向上させることが可能であるため、常用・非常用発電用エンジンや建設機械用エンジン、船舶、鉄道等に搭載されるエンジン等のガスエンジンに幅広く適用できる。
【図面の簡単な説明】
【００５５】
【図１】本発明の一実施例に係るガスエンジンとその制御装置を示す全体構成図である。
【図２】本発明の実施例に係るガスエンジンの制御を示すブロック線図である。
【図３】ガス流量リミットマップの一例を示す図である。
【図４】空気過剰率リミットマップの一例を示す図である。
【図５】負荷応答性を比較するグラフで、（ａ）は補正処理無しの場合、（ｂ）は補正処理有りの場合を示す図である。
【図６】空気過剰率マップの一例を示す図である。
【図７】従来のガスエンジンを示す全体構成図である。
【符号の説明】
【００５６】
１      ガスエンジン
２      シリンダ
７      主室（主燃焼室）
８      副室
１０    給気管
１２    ガスミキサ
１３    燃料供給管
１４    主室燃料供給管
１６    燃料流量制御バルブ
１８    スロットルバルブ
２０    混合気供給管
２１    副室燃料供給管
２５    過給機
３０    ＭＡＰセンサ（マニホールド圧力センサ）
３１    ＭＡＴセンサ（マニホールド温度センサ）
３２    エンジン回転速度センサ
３３    副室ガス圧センサ
３４    副室差圧センサ
４０    発電機
４１    発電機制御盤
５０    エンジン電子制御ユニット（ＥＣＵ）
５１    速度制御部
５２    空燃比制御部
【図１】
0004476317.tif 000006
【図２】
0004476317.tif 000007
【図３】
0004476317.tif 000008
【図４】
0004476317.tif 000009
【図５】
0004476317.tif 000010
【図６】
0004476317.tif 000011
【図７】
0004476317.tif 000012